(57)【要約】【課題】被洗浄物の設置スペースを確保した状態で、異なる洗浄経路から噴射される洗浄水により、効率よく被洗浄物を洗浄すること。【解決手段】複数の吐出経路１５ａ、１５ｂ、インペラ５等で構成した洗浄ポンプ４と、各吐出経路と連通する導水経路１３ａ、１３ｂを有する回転洗浄手段１２と、回転洗浄手段１２を保持し、回転中心となる軸受部１６を有し、洗浄ポンプ４は、回転洗浄手段１２の軸心から本体の設置面に対して略水平方向に離して一定距離に配置され、インペラ５の回転方向を切換える構成にしたことにより、洗浄手段を複数設ける必要がなく、また、回転洗浄手段１２の軸受部１６も大きくなることがないので、洗浄槽内の被洗浄物の設置スペースを確保した状態で、異なる洗浄経路から噴射される洗浄水により、効率よく被洗浄物を洗浄することができる。【選択図】図１
2010099217.tif 000002
【特許請求の範囲】
【請求項１】
食器等の被洗浄物を収容する洗浄槽と、前記洗浄槽内の洗浄水を加圧し、少なくとも複数の吐出経路、インペラ、ケーシング、モータで構成された洗浄ポンプと、前記洗浄ポンプ内のインペラの回転方向を切換える制御手段と、前記洗浄ポンプの複数の吐出経路とそれぞれ連通する複数の導水経路を有する回転洗浄手段と、前記回転洗浄手段を保持し回転中心となる軸受部とを有し、前記洗浄ポンプの吐出経路と前記回転洗浄手段の導水経路とを連通するとともに、前記洗浄ポンプは、前記回転洗浄手段の軸受部の軸心から本体の設置面に対して略水平方向に離して一定距離に配置され、前記インペラの回転方向を切換えることで、前記吐出経路を切換える構成の食器洗い機。
【請求項２】
複数の吐出経路は、洗浄ポンプと軸受部の間で交差し、前記軸受部内で同心の２重円筒状経路を構成する請求項１に記載の食器洗い機。
【請求項３】
２重円筒状経路の外周経路は、螺旋状に形成され、洗浄水の流送方向に対する螺旋回転方向と、外周経路に連通した洗浄ポンプの吐出口から洗浄水を流送する際のインペラの回転方向とは、同方向である請求項２に記載の食器洗い機。
【請求項４】
洗浄ポンプは、インペラの回転方向を正逆反転させることで、回転洗浄手段の導水経路への洗浄水の供給を切換え、前記回転洗浄手段の回転方向を切換える請求項１〜３のいずれか１項に記載の食器洗い機。
【発明の詳細な説明】
【技術分野】
【０００１】
本発明は、複数の吐出経路、インペラ、ケーシング、モータ等で構成された洗浄ポンプで洗浄水を加圧し、インペラの回転方向を切換えることで、吐出経路を切換える食器洗い機や食器洗い乾燥機に関するものである。
【背景技術】
【０００２】
従来、洗浄ポンプのインペラの回転方向を切換えることで、洗浄手段を切換える構成の一般的な食器洗い機は、特開平１−２８４２２４号公報に示されたように、図６のような構成をしている。以下、その構成について説明する。
【０００３】
図６に示すように、洗浄水を底部に貯留し、また内部に被洗浄物を収納する洗浄槽５１の底面に近接して、回転自在に軸支された下部回転ノズル５２を設けている。また、洗浄槽５１の上面に近接して、回転自在に軸支された上部回転ノズル５３を設けている。ポンプ５４は、洗浄水およびすすぎ水を循環し、正逆回転が可能で、インペラ５５を時計方向に回転させた場合に、その回転接線方向に沿って、ケーシング５６の外周縁部に形成したものが下部吐出口５７で、また、反時計方向にインペラ５５を回転させた場合に、その回転接線方向に沿って、ケーシング５６の外周縁部に形成したものが上部吐出口５８である。ポンプモータ５９は、正逆回転が可能で、前記ポンプ５４を駆動する。下部回転ノズル５２とポンプ５４の下部吐出口５７とを接続する送水管６０、上部回転ノズル５３とポンプ５４の上部吐出口５８とを接続する送水管６１、送水管６１から分岐して延長した排水管６２で構成されている。
【０００４】
次に動作を説明する。洗浄槽５１にセットした被洗浄物の洗浄やすすぎ時に、ポンプ５４を駆動させ、インペラ５５を時計方向に回転させると、下部吐出口５７から洗浄水が加圧され、下部回転ノズル５２に流送される。下部回転ノズル５２に設けられた複数の噴射口から、洗浄槽５１内にセットされた食器等の被洗浄物に下側から洗浄水が噴射される。
【０００５】
ある一定時間動作させた後、ポンプ５４を停止させる。次に、インペラ５５を反時計方向に回転させると、ポンプ５４の上部吐出口５８から洗浄水が加圧され、上部回転ノズル５３に流送される。上部回転ノズル５３に設けられた複数の噴射口から、被洗浄物に上側から洗浄水が噴射される。
【０００６】
したがって、ポンプ５４のインペラ５５を正逆反転させることで、上下の回転ノズルから、被洗浄物に洗浄水を噴射することができるので、食器のあらゆる方向から洗浄水を噴射でき、効率よく洗浄ができる。
【０００７】
また、実開昭５９−１４５３５８号公報に示されたように、図７のような構成をしたものもある。以下、その構成について説明する。
【０００８】
図に示すように、洗浄槽６３の下方にモータ６４を、その回転軸６５が洗浄槽６３内の底部に突出するように設け、この洗浄槽６３内に突出した回転軸６５の上端部にインペラ６６を装着し、かつインペラ６６の外周の上部側面に洗浄水の吐出口６７を有し、下部側面に洗浄水の吸入口６８を有するポンプ室６９を形成し、さらにこのポンプ室６９の上部に洗浄ノズル７０を回転自在に取り付けている。作動スイッチをＯＮすると、モータ６４が回転し、洗浄水はインペラ６６の回転により、吸入口６８からポンプ室６９に導入され、吐出口６７から洗浄ノズル７０内に吐出される。この際、インペラ６６がＡ方向に回転していると、洗浄水は実線の矢印方向に吐出され、洗浄ノズル７０のＸで示す内面が洗浄
水により圧力を受け、洗浄ノズル７０はインペラ６６と同方向に回転する。そして回転しながら、洗浄水を洗浄ノズル７０に設けられた噴射口から洗浄水を噴射する。モータ６４を逆回転させると、インペラ６６も逆回転し、洗浄水の吐出方向が逆になるので、洗浄ノズル７０も逆回転し、正回転では、至らなかった部分に洗浄水を噴射する。したがって、効率よく食器等の被洗浄物の洗浄及びすすぎができる。
【特許文献１】特開平１−２８４２２４号公報
【特許文献２】実開昭５９−１４５３５８号公報
【発明の開示】
【発明が解決しようとする課題】
【０００９】
しかしながら、従来の食器洗い機において、特開平１−２８４２２４号公報では、複数の洗浄手段を設けているため、洗浄経路である送水管が複数必要となり、洗浄経路が複雑になるとともに、洗浄経路のスペース確保のため、食器洗い機本体が大きくなる。また、上部に回転ノズルを設けることで、食器等の被洗浄物の設置スペースが狭くなるか、更に、本体が大きくなるという課題を有していた。
【００１０】
また、実開昭５９−１４５３５８号公報のように、洗浄ノズル内にインペラを含むポンプ構成で、食器等の被洗浄物を効率よく、きれいに、早く洗おうとすると、洗浄圧、洗浄流量を上げなくてはならず、そのために、インペラやモータを大きくする必要がある。したがって、洗浄ノズルが大きくなるので、被洗浄物の設置スペースを確保するとなると、本体が大きくなる。更に、洗浄時に汚染が洗浄ノズル上に付着しやすくなり、すすぎ性能の低下や、洗浄ノズルが抵抗となり、洗浄水の回収が遅くなり、洗浄水量を増やすことで、ポンプのエアがみを防がなければならないという課題を有していた。
【００１１】
本発明は、上記従来の課題を解決するもので、複数の導水経路を有する回転洗浄手段に、回転洗浄手段の軸受部から本体の設置面に対して離れた位置に設けた洗浄ポンプの複数の吐出経路を連通させ、洗浄ポンプのインペラの回転方向を正逆切換えて、洗浄水の吐出経路を切換えることで、複数の洗浄経路が分散せず、コンパクトに構成されるので、食器洗い機本体の設置性や被洗浄物をセットできる容量を確保でき、また、導水経路を切換えることで、噴射位置や噴射角度等がことなる噴射口を各導水経路に設けることもできるので、洗浄性能も向上させることを目的とする。
【課題を解決するための手段】
【００１２】
前記従来の課題を解決するために、本発明の食器洗い機は、食器等の被洗浄物を収容する洗浄槽と、前記洗浄槽内の洗浄水を加圧し、少なくとも複数の吐出経路、インペラ、ケーシング、モータで構成された洗浄ポンプと、前記洗浄ポンプ内のインペラの回転方向を切換える制御手段と、前記洗浄ポンプの複数の吐出経路とそれぞれ連通する複数の導水経路を有する回転洗浄手段と、前記回転洗浄手段を保持し回転中心となる軸受部とを有し、前記洗浄ポンプの吐出経路と前記回転洗浄手段の導水経路とを連通するとともに、前記洗浄ポンプは、前記回転洗浄手段の軸受部の軸心から本体の設置面に対して略水平方向に離して一定距離に配置され、前記インペラの回転方向を切換える構成にしたことを特徴としたものである。
【００１３】
これによって、洗浄手段を洗浄槽内に複数設ける必要がなく、また、回転洗浄手段の軸受部も大きくなることがないので、洗浄槽内の被洗浄物の設置スペースを確保した状態で、異なる導水経路から噴射される洗浄水により、効率よく被洗浄物を洗浄することができる。
【発明の効果】
【００１４】
本発明の食器洗い機は、洗浄性能が向上するとともに、本体の設置性、被洗浄物のセッ
ト性も確保できるものである。
【発明を実施するための最良の形態】
【００１５】
第１の発明は、食器等の被洗浄物を収容する洗浄槽と、前記洗浄槽内の洗浄水を加圧し、少なくとも複数の吐出経路、インペラ、ケーシング、モータで構成された洗浄ポンプと、前記洗浄ポンプ内のインペラの回転方向を切換える制御手段と、前記洗浄ポンプの複数の吐出経路とそれぞれ連通する複数の導水経路を有する回転洗浄手段と、前記回転洗浄手段を保持し回転中心となる軸受部とを有し、前記洗浄ポンプの吐出経路と前記回転洗浄手段の導水経路とを連通するとともに、前記洗浄ポンプは、前記回転洗浄手段の軸受部の軸心から本体の設置面に対して略水平方向に離して一定距離に配置され、前記インペラの回転方向を切換えることで、前記吐出経路を切換える構成にすることにより、回転洗浄手段内や下部に、経路の切換え手段や洗浄ポンプが配置されないので、それら機構部の配置スペースが必要なく、被洗浄物を複数の噴射口を有する回転洗浄手段で選択的に効率よく洗浄できるとともに、洗浄水を切り切換える洗浄ポンプという機構部を有しながらも本体の設置性が向上し、食器等の被洗浄物のセット性を妨げることがない。
【００１６】
第２の発明は、第１の発明において、複数の吐出経路が前記洗浄ポンプと軸受部との間で交差し、前記軸受部内で同心の２重円筒状に経路を構成することで、１つの回転洗浄手段の、多くの噴射口から噴射できる構成になることで、複数の経路が分離して、洗浄経路のスペースをとることがなく、更に、軸受部及び回転洗浄手段内にインペラ等のポンプ構成が必要でないので、高さ方向にスペースを取らず、本体の設置性、被洗浄物のセット性を確保し、洗浄性能も向上するものである。
【００１７】
第３の発明は、第２の発明において、２重円筒状経路の外周経路は、螺旋状に形成され、洗浄水の流送方向に対する螺旋回転方向と、外周経路と連通した洗浄ポンプの吐出口から洗浄水を流送する際のインペラの回転方向とは、同方向に構成にすることにより、洗浄ポンプの外周経路の吐出口と、螺旋状の経路の入口部は、内周経路に対して、同じ側に位置するので、洗浄水の圧損が少なく、少ないエネルギで効率よく洗浄圧を確保できる。したがって、洗浄効率が向上するものである。
【００１８】
第４の発明は、第１〜第３のいずれか１つの発明において、洗浄ポンプは、インペラの回転方向を正逆反転させることで、回転洗浄手段の導水経路への洗浄水の供給を切換え、前記回転洗浄手段の回転方向を切換える構成にすることで、噴射位置はもちろん被洗浄物に噴射される洗浄水の角度も切換えることが可能となり、被洗浄物に対して、いろいろな方向から洗浄水を噴射することができる。したがって、食器洗い機本体の設置性および被洗浄物のセット性を確保するとともに、洗浄効率も向上する。
【００１９】
以下、本発明の実施の形態について、図面を参照しながら説明する。なお、本実施の形態によって本発明が限定されるものではない。
【００２０】
（実施の形態１）
図１は、本実施の形態の全体構成部、図２は、要部を平面から見たものである。図１、図２に示すように、食器洗い機本体１には、蓋体で開閉可能な洗浄槽２を設け、食器等の被洗浄物は食器かご３にセットされ、洗浄槽２内に収容している。洗浄ポンプ４は、給水弁から洗浄槽２に供給された洗浄水を加圧して、被洗浄物に噴射する。洗浄ポンプ４は、インペラ５、ケーシング６、モータ７、オイルシール８、軸９等で構成され、ケーシング６には、吸込口１０と複数の洗浄用の吐出口１１ａ、１１ｂを有している。制御手段１８により、モータ７の回転方向を変えることで、インペラ５の回転方向も切換える。それぞれの吐出口１１ａ、１１ｂには、ばね等で、支持された弁体を設けてもよい。また、排水ポンプ（図示していない）は、洗浄槽２と連通した構成になっている。
【００２１】
回転洗浄手段１２は、その内部に仕切りを設け、洗浄水を流送する複数の導水経路１３ａ、１３ｂを有し、各々の導水経路１３ａ、１３ｂには、洗浄水を被洗浄物に噴射する噴射口１４ａ、１４ｂを設けている。噴射口１４ａ、１４ｂは、各導水経路１３ａ、１３ｂにおいて、少なくとも１つは、位置や角度、形状等が異なるようにしている。洗浄ポンプ４の吐出口１１ａ、１１ｂは、回転洗浄手段１２の導水経路１３ａ、１３ｂとそれぞれ連通している。また、吐出口１１ａ、１１ｂと回転洗浄手段１２内の導水経路１３ａ、１３ｂとを連通する吐出経路１５ａ、１５ｂに、分岐経路を設けて、別に設けた洗浄手段と連結してもよい。
【００２２】
軸受部１６は、洗浄槽２の底面に設けられ、回転洗浄手段１２を保持するもので、回転洗浄手段１２は、軸受部１６を中心に回転する。図１において、軸受部１６は、洗浄槽２にパッキン等を介して装着しているが、洗浄槽２と一体に形成してもよい。洗浄ポンプ４は、回転洗浄手段１２の軸受部１６の軸心から、本体１の設置面に対して略水平方向に離し、一定の距離をおいて配置している。
【００２３】
以上のように構成された食器洗い機について、以下その動作、作用を説明する。
【００２４】
食器等の被洗浄物１７を食器かご３にセットして洗浄槽２に収納し、洗剤を投入した後、蓋体により本体１の開口部を閉塞し、運転を開始する。被洗浄物１７の汚れを落とす洗浄工程、付着した洗剤や残菜を流すすすぎ工程、そして被洗浄物１７に付着している水適を乾燥させる乾燥工程の順に実行する。
【００２５】
まず、洗浄工程は、制御手段１８により、給水弁を動作して所定量の洗浄水を洗浄槽２に給水する。この際、洗浄槽２内に設けたヒータ（加熱手段）１９は通電され、洗浄水は加熱される。次に、洗浄ポンプ４のモータ７を動作し、インペラ５を右方向もしくは左方向に回転させ、洗浄水を加圧し、吐出口１１ａもしくは１１ｂから洗浄水を吐出経路１５ａ、１５ｂへ噴射する。この時、洗浄水を流さない吐出口１１ａもしくは１１ｂは、弁等で閉塞してもよい。
【００２６】
開口された吐出経路１５ａへ流送された洗浄水は、吐出経路１５ａと連通している回転洗浄手段１２の導水経路１３ａに流入する。導水経路１３ａに設けられた噴射口１４ａから洗浄水が被洗浄物１７に噴射される。
【００２７】
次に、制御手段１８によりインペラ５の回転方向を反転させると吐出口１１ｂから洗浄水が吐出経路１５ｂへ流送される。洗浄水は、導水経路１３ｂを介して、噴射口１４ａとは、噴射位置、噴射角度等が異なる噴射口１４ｂより被洗浄物１７に向けて噴射される。
【００２８】
洗浄水は、残さいフィルタ２０、排水口２１を通過し、洗浄ポンプ４を介して回転洗浄手段１２から噴射され、洗浄槽２内を循環する。回転洗浄手段１２のそれぞれの噴射口１４ａ、１４ｂの噴射時間は、制御手段１８により所定の時間で行う。
【００２９】
所定時間の洗浄工程を終えると、汚れを含む洗浄水は排水ポンプ等により本体１外に排出され、給水弁から新たに洗浄水が供給される。洗浄ポンプ４を運転し、吐出経路を経て、回転洗浄手段１２から再び洗浄水を噴射して、洗剤や残菜等の付着した被洗浄物１７のすすぎを行う。所定時間運転した後、洗浄水を排出し、再び洗浄水を供給するという動作を繰り返し、このすすぎ工程は連続して２〜４回程度行う。最後に、洗浄水を機外に排出して、すすぎ工程は終了する。すすぎ工程終了後、乾燥工程を所定時間行い、運転を終了する。
【００３０】
以上のように、本実施の形態においては、複数の吐出口を持つ洗浄ポンプ４を前記回転洗浄手段１２の軸受部１６の軸心から本体１の設置面に対して略水平方向に離し、一定距離に配置することにより、回転洗浄手段１２内もしくは軸受部１６もしくはそれらの下部に、洗浄水の切換え手段や洗浄ポンプ等を有し、大きなスペースをとるこれらの機構部品によって、本体の高さが高くなることがない。したがって、複数の噴射口１４ａ、１４ｂを有する回転洗浄手段１２で任意の被洗浄物１７に対して複数方向、位置等から洗浄水を噴射させることができるので、短時間で被洗浄物１７に付着した汚染物を洗浄することができ、高効率洗浄を実現し、本体１の設置性および食器等の被洗浄物のセット性を妨げることがない。
【００３１】
（実施の形態２）
本実施の形態を図３（ａ）、図３（ｂ）に示す。図３（ａ）は、図３（ｂ）のＬ−Ｌでの断面図である。図３（ａ）、図３（ｂ）に示すように、洗浄ポンプの複数の吐出経路２２ａ、２２ｂが、洗浄ポンプの吐出口２３ａ、２３ｂと軸受部２４の間で交差し、軸受部２４内で内周経路２５と外周経路２６が同心の２重円筒状に構成されている。回転洗浄手段２７内の導水経路２８ａ、２８ｂは、内周経路２５と外周経路２６から流送されてきた洗浄水を互いに漏らさないように、連通している。同心の２重円筒状構成のため、回転洗浄手段２７が、回転しても、洗浄水の経路の形状が変化することなく、圧力損失を最小限にすることができる。
【００３２】
また、１つの回転洗浄手段の多くの噴射口から洗浄水を噴射できる構成になることで、複数の経路が分離して、洗浄経路のスペースをとる必要がなく、更に、軸受部及び回転洗浄手段内にインペラ等のポンプ構成が必要でないので、高さ方向にスペースを取らず、本体の設置性、被洗浄物のセット性を確保し、洗浄性能も向上するものである。
【００３３】
また、図４に示したように、同心の２重円筒状経路の外周経路２９が、螺旋状に形成され、洗浄水の流送方向に対する螺旋回転方向と、外周経路２９と連通した洗浄ポンプ３０の吐出口３１から洗浄水を流送する際のインペラ３２の回転方向と、同方向で構成されている。インペラ３２の回転で加圧される洗浄水は、回転接線方向に対して設けられた吐出口３１から吐出される。図４の場合、インペラが右回転すると、洗浄水は、吐出口３１から吐出され、右方向に螺旋状に回転する外周経路２９へ流送される。
【００３４】
洗浄ポンプ３０の吐出口３１と、外周経路２９の入口部は、内周経路３３に対して、同じ側にくるので、洗浄水の圧損が少なく、効率よく洗浄圧を確保できる。したがって、洗浄効率が向上するものである。
【００３５】
以上のように、本実施の形態では、被洗浄物に対して、必要な洗浄圧を得るために、洗浄水の経路による圧力損失を少なくすることで、洗浄効率を向上させるとともに、高さ方向にスペースを取らず、本体の設置性、被洗浄物のセット性を確保するものである。
【００３６】
（実施の形態３）
図５に示すように、回転洗浄手段３４の導水経路が２つの場合、第１の導水経路３５と第２の導水経路３６は、回転洗浄手段３４内で仕切られ、第１の導水経路３５もしくは第２の導水経路３６には、回転洗浄手段３４が右回転に回転するように、推進方向に対して反対方向に噴射角度を有する少なくとも１つの噴射口を設けている。また、一方の第１の導水経路３５もしくは第２の導水経路３６は、回転洗浄手段３４が左回転するように、噴射口を設けているものである。
【００３７】
以下その動作、作用を説明する。洗浄ポンプにより噴射される洗浄水は、洗浄ポンプ内のインペラの回転方向により、第１の導水経路３５と連通している吐出経路へ流送される
。第１の導水経路３５の噴射口３７から洗浄水が噴射されると、その噴射反力により回転洗浄手段３４は右もしくは左回転し、被洗浄物に対して主に片側から洗浄水があたる。次に、洗浄ポンプのインペラの回転方向を反転させると、別の吐出経路を経て、第２の導水経路３６の噴射口３８から洗浄水が噴射され、その噴射反力により回転洗浄手段３４は反転し、被洗浄物に対して、主に、第１の導水経路３５を経て噴射口３７から洗浄水を噴射した時とは、反対の向きから洗浄水があたる。
【００３８】
また、噴射口３７、３８の位置や形状は、対称に同一のものを用いなくても様々な方向位置から洗浄水が被洗浄物にあたるため、洗浄効率を向上することができる。
【００３９】
洗浄ポンプが、回転洗浄手段３４の導水経路３５、３６への洗浄水の供給を切換えることで、回転洗浄手段３４の回転方向が切換わる。また、噴射位置はもちろん被洗浄物に噴射される洗浄水の角度も切換えることが可能となり、被洗浄物に対して、いろいろな方向から洗浄水を噴射することができる。したがって、食器洗い機本体の設置性および被洗浄物のセット性が確保されるとともに、洗浄効率も向上する。
【産業上の利用可能性】
【００４０】
以上のように、本発明にかかる食器洗い機は、洗浄手段を複数設ける必要がなく、また、回転洗浄手段１２の軸受部１６も大きくなることがないので、洗浄槽内の被洗浄物の設置スペースを確保した状態で、異なる洗浄経路から噴射される洗浄水により、効率よく被洗浄物を洗浄することができるので、洗浄水を噴射して被洗浄物を洗浄するあらゆるタイプの食器洗い機や食器洗い乾燥機に適用できる。
【図面の簡単な説明】
【００４１】
【図１】本発明の実施の形態１の食器洗い機の正面断面図
【図２】同実施の形態１の洗浄ポンプの断面図
【図３】（ａ）本発明の実施の形態２の軸受部付近を上から見た平面図（ｂ）同実施の形態２の部分断面図
【図４】同実施の形態２の部分断面図
【図５】本発明の実施の形態３の回転洗浄手段を上から見た断面図
【図６】従来の食器洗い機の正面断面図
【図７】従来の他の食器洗い機の正面断面図
【符号の説明】
【００４２】
２  洗浄槽
４  洗浄ポンプ
５  インペラ
１１ａ、１１ｂ  吐出口
１２  回転洗浄手段
１３ａ、１３ｂ  導水経路
１６  軸受部
２５  内周経路
２６  外周経路
３５  第１の導水経路
３６  第２の導水経路
【図１】
2010099217.tif 000003
【図２】
2010099217.tif 000004
【図３】
2010099217.tif 000005
【図４】
2010099217.tif 000006
【図５】
2010099217.tif 000007
【図６】
2010099217.tif 000008
【図７】
2010099217.tif 000009